(57)【要約】      （修正有）【課題】筐体上部のボトルホルダに水ボトルをセットするタイプのウォーターサーバーにおいて、低コストでボトルホルダの通水ロッドの清潔性を確保でき、かつボトルホルダのガタつきを防止できるようにする。【解決手段】筐体１の上部に固定されて水ボトル４の肩部７を支持するボトル支持部１６に対して、水ボトル４の首部８が差し込まれるボトル差込口１５を通水ロッド１８と一体に着脱自在に取り付けたボトルホルダ５を採用することにより、通水ロッド１８をボトル差込口１５と一体にボトル支持部１６から取り外して洗浄することができ、しかも、ボトル差込口１５が水ボトル４の荷重を受けず、ボトル差込口１５とボトル支持部１６との接触部の寸法精度を厳しく管理しなくてもボトルホルダ５にガタつきが生じない。【選択図】図２
2019218115.tif 000002
【特許請求の範囲】
【請求項１】
筐体（１）と、前記筐体（１）の上部に設けられ、水ボトル（４）がセットされるボトルホルダ（５）とを備え、
前記水ボトル（４）は、有底中空筒状の胴部（６）と、その胴部（６）の一端に肩部（７）を介して設けられた首部（８）とを有し、前記首部（８）の先端に水出口（９）が形成されており、
前記ボトルホルダ（５）は、前記水ボトル（４）の首部（８）が下向きの姿勢で差し込まれるボトル差込口（１５）と、前記ボトル差込口（１５）の周囲に設けられ、前記ボトル差込口（１５）に首部（８）を差し込んだ状態の水ボトル（４）の肩部（７）を支持するボトル支持部（１６）と、前記ボトル差込口（１５）内に上向きに設けられ、前記ボトル差込口（１５）に首部（８）を差し込んだ状態の水ボトル（４）の水出口（９）に嵌合する通水ロッド（１８）とを有するものであるウォーターサーバーにおいて、
前記ボトルホルダ（５）のボトル支持部（１６）が前記筐体（１）の上部に固定され、そのボトル支持部（１６）に対して、前記ボトル差込口（１５）が通水ロッド（１８）と一体に着脱自在に取り付けられていることを特徴とするウォーターサーバー。
【請求項２】
前記ボトル支持部（１６）の内周部に、前記ボトル差込口（１５）が嵌まり込むカップ部（１７）が設けられていることを特徴とする請求項１に記載のウォーターサーバー。
【請求項３】
前記ボトル支持部（１６）の内周部と前記ボトル差込口（１５）の外周部の一方に係合溝が設けられ、他方に前記係合溝に挿入される係合突起が設けられており、
前記係合溝は、その一部が水平方向に沿って延び、上下方向で前記係合突起と係合するものであることを特徴とする請求項１または２に記載のウォーターサーバー。
【請求項４】
前記ボトル差込口（１５）に、ボトル差込口（１５）の着脱を行う人の指が陥入可能な操作凹部（１５ｃ）が設けられていることを特徴とする請求項１乃至３のいずれかに記載のウォーターサーバー。
【発明の詳細な説明】
【技術分野】
【０００１】
この発明は、ミネラルウォーター等の飲料水を充填した交換式の水ボトルから飲料水を供給するウォーターサーバーに関する。
【背景技術】
【０００２】
従来、主にオフィスや病院などでウォーターサーバーが利用されてきたが、近年、水の安全や健康への関心の高まりから、一般家庭にもウォーターサーバーが普及しつつある。このようなウォーターサーバーとして、筐体の上部に設けられたボトルホルダに交換式の水ボトルをセットして用いるものが一般に知られている。
【０００３】
また、ウォーターサーバーに用いられる水ボトルは、有底中空筒状の胴部の一端に肩部を介して首部が設けられ、その首部の先端に水出口が形成されたものが多く用いられている。この水ボトルをボトルホルダにセットする際には、通常、水ボトルの首部を下向きにしてボトルホルダの上面中央部に設けたボトル差込口に差し込み、首部の水出口をボトル差込口内に上向きに設けた中空の通水ロッドに嵌合させる。通水ロッドは、水ボトルの首部内に入り込む部分に通水孔が設けられ、水ボトル内の飲料水を通水孔から中空部を介して下方に配置された水タンクへ導くようになっている。
【０００４】
ところで、上記のように水ボトルの首部の水出口をボトルホルダの通水ロッドに嵌合させて使用するウォーターサーバーでは、水ボトル内の飲料水が通水ロッドに接触している時間が比較的長いため、衛生面から水ボトル交換時等に適切な頻度で通水ロッドを清掃することが望ましい。
【０００５】
通水ロッドの清掃方法としては、通水ロッドをボトル差込口に対して着脱自在としておき、清掃時に通水ロッドをボトル差込口から取り外して洗浄する方法がある。この清掃方法によれば、ボトル差込口と一体形成した通水ロッドの外側面を布等で拭くだけの場合に比べて、通水ロッドの内側面を確実に清掃できる利点がある。しかし、洗浄後の通水ロッドをボトル差込口に取り付ける際に、手で通水ロッドに触れることにより通水ロッドの外側面が汚染されるおそれがある。
【０００６】
一方、特許文献１には、水ボトルを支持するボトル支持部とボトル差込口とが一体形成され、そのボトル差込口に通水ロッドが取り付けられたボトルホルダを、筐体の上部に設けられたカバーおよび嵌合部に対して着脱自在に取り付け、そのボトルホルダ全体を筐体から取り外して清掃できるようにしたウォーターサーバーが開示されている。
【先行技術文献】
【特許文献】
【０００７】
【特許文献１】特開２００７−２５４０２２号公報
【発明の概要】
【発明が解決しようとする課題】
【０００８】
上記特許文献１に開示されているウォーターサーバーでは、ボトルホルダ全体を筐体から取り外して、通水ロッドを取り付けたまま洗浄するようにすれば、通水ロッドの内外両面が清掃できるし、ボトルホルダを取り付ける際にも、手で通水ロッドに触れる必要がないので、通水ロッドの外側面が汚染されるおそれがない。
【０００９】
しかしながら、清掃後のボトルホルダを筐体に取り付ける際の取付位置精度が低いと、ボトルホルダに水ボトルをセットするときに、ボトルホルダがガタつくことにより、水ボトルの首部をボトル差込口に差し込むのに手間取ったり、水ボトルを落したりするおそれがある。また、ボトルホルダにセットされた水ボトルが人との接触等によりガタついて、そのウォーターサーバーのメーカーに対するイメージダウンとなることも考えられる。
【００１０】
したがって、実際には、製造時にボトルホルダとボトルホルダが取り付けられる筐体側部材との接触部の寸法精度を厳しく管理することにより、使用時にボトルホルダの筐体への取り付けが毎回精度よく行われて、ボトルホルダのガタつきが生じないようにすることが必要となる。そして、このことがボトルホルダおよび筐体側部材の製作にかかる手間とコストを増大させ、ウォーターサーバー全体のコストアップの一因となる。
【００１１】
そこで、この発明は、筐体上部のボトルホルダに水ボトルをセットするタイプのウォーターサーバーにおいて、低コストでボトルホルダの通水ロッドの清潔性を確保でき、かつボトルホルダのガタつきを防止できるようにすることを課題とする。
【課題を解決するための手段】
【００１２】
上記課題を解決するために、この発明は、筐体と、前記筐体の上部に設けられ、水ボトルがセットされるボトルホルダとを備え、
前記水ボトルは、有底中空筒状の胴部と、その胴部の一端に肩部を介して設けられた首部とを有し、前記首部の先端に水出口が形成されており、
前記ボトルホルダは、前記水ボトルの首部が下向きの姿勢で差し込まれるボトル差込口と、前記ボトル差込口の周囲に設けられ、前記ボトル差込口に首部を差し込んだ状態の水ボトルの肩部を支持するボトル支持部と、前記ボトル差込口内に上向きに設けられ、前記ボトル差込口に首部を差し込んだ状態の水ボトルの水出口に嵌合する通水ロッドとを有するものであるウォーターサーバーにおいて、
前記ボトルホルダのボトル支持部が前記筐体の上部に固定され、そのボトル支持部に対して、前記ボトル差込口が通水ロッドと一体に着脱自在に取り付けられている構成を採用した。
【００１３】
すなわち、水ボトルがセットされるボトルホルダとして、筐体の上部に固定されて水ボトルの肩部を支持するボトル支持部に対して、水ボトルの首部が差し込まれるボトル差込口が通水ロッドと一体に着脱自在に取り付けられた構造のものを採用することにより、通水ロッドの清掃時には通水ロッドをボトル差込口と一体にボトル支持部から取り外して洗浄することができ、しかも、ボトル差込口が水ボトルの荷重を受けず、ボトル差込口とボトル支持部との接触部の寸法精度を厳しく管理しなくてもボトルホルダにガタつきが生じないようにしたのである。
【００１４】
ここで、前記ボトル支持部の内周部に、前記ボトル差込口が嵌まり込むカップ部が設けられている構成とすれば、ボトル差込口と通水ロッドを一体にボトル支持部から取り外した際にも、カップ部が筐体の上方と内部とを仕切る蓋の役割を果たすので、埃等の異物やねじ等の小さな物品が筐体内に落下するおそれがなく、ボトル差込口の下方に配置される水タンクへの雑菌の侵入も防止できるようになる。
【００１５】
また、前記ボトル支持部の内周部と前記ボトル差込口の外周部の一方に係合溝が設けられ、他方に前記係合溝に挿入される係合突起が設けられており、前記係合溝は、その一部が水平方向に沿って延び、上下方向で前記係合突起と係合するものである構成とすれば、水ボトルを交換する際に、使用済みの水ボトルをボトルホルダから取り外すために上方へ引き上げても、ボトル差込口および通水ロッドがボトル支持部から上方へ抜け出すことがなく、効率よく交換作業を行うことができる。
【００１６】
また、前記ボトル差込口に、ボトル差込口の着脱を行う人の指が陥入可能な操作凹部が設けられている構成とすれば、通水ロッドを清掃する際のボトル差込口の着脱作業がより簡単に行えるようになる。
【発明の効果】
【００１７】
この発明のウォーターサーバーは、上述したように、ボトルホルダのボトル支持部を筐体の上部に固定し、そのボトル支持部に対してボトル差込口を通水ロッドと一体に着脱自在に取り付けたものであるから、通水ロッドをボトル差込口と一体にボトル支持部から取り外して洗浄することにより通水ロッドの清潔性を確保することができる。しかも、筐体に対して着脱しないボトル支持部で水ボトルを支持することによってボトルホルダのガタつきを防止できる構造であるため、ボトル差込口とボトル支持部との接触部の寸法精度を厳しく管理する必要がなく、ボトルホルダ全体を筐体に対して着脱するものに比べて低コストで製作することができる。
【図面の簡単な説明】
【００１８】
【図１】この発明の実施形態のウォーターサーバーを示す側面断面図
【図２】図１のボトルホルダを拡大して示す側面断面図
【図３】図１のボトルホルダの分解斜視図
【図４】ａは図３のボトル差込口およびの通水ロッドの平面図、ｂはａの正面図
【図５】図３のボトル差込口を分解した状態を示す側面断面図
【発明を実施するための形態】
【００１９】
図１に、この発明の実施形態のウォーターサーバーを示す。このウォーターサーバーは、縦長の筐体１と、筐体１の上部に組み込まれた冷水タンク２と、筐体１の外部から操作可能な冷水コック３と、冷水コック３と並ぶように筐体１前面側の凹部に設置される電気ケトル（図示省略）と、筐体１の上端に設けられ、交換式の水ボトル４がセットされるボトルホルダ５とを備えている。
【００２０】
筐体１は、略方形の外周をもつ有底角筒状の部材であり、その上端の開口を塞ぐようにボトルホルダ５が取り付けられている。なお、この図１の例では、筐体１上端の開口をボトルホルダ５で塞ぐようにしているが、ボトルホルダ５とは別体の天板で開口を塞ぎ、その天板の上にボトルホルダ５を設けるようにしてもよい。
【００２１】
水ボトル４は、有底中空筒状の胴部６と、その胴部６の一端に肩部７を介して設けられた首部８とを有している。そして、その首部８の先端に水出口９が形成されており、首部８を下向きにした姿勢でボトルホルダ５にセットされる。この水ボトル４は、内部の残水量の減少に伴って収縮するように柔軟性をもたせて形成されている。
【００２２】
ボトルホルダ５と冷水タンク２とは、水ボトル４の水出口９から出た飲料水を冷水タンク２へ導入する原水導入管１０と、冷水タンク２内の空気を水ボトル４の水出口９へ導入する空気導入管１１とで接続されている。その原水導入管１０の冷水タンク２側の端部には、冷水タンク２内の水位に応じて開閉するフロートバルブ１２が設けられている。
【００２３】
なお、水ボトル４として、内部の残水量が減少しても変形しないように剛性をもたせて形成したタイプのものを採用する場合は、フロートバルブ１２は不要である。その場合、冷水タンク２内の水位が原水導入管１０の冷水タンク２側の端部と同じ高さとなる。
【００２４】
また、冷水タンク２はボトルホルダ５よりも下側に配置されており、これにより冷水タンク２内の飲料水が減少したときに、水ボトル４内の飲料水がその自重で原水導入管１０を通って冷水タンク２に導入されるようになっている。
【００２５】
この冷水タンク２には、冷水タンク２内の飲料水を冷却する冷却装置１３が取り付けられている。冷却装置１３は、冷水タンク２の外周に巻き付けられた冷媒管を図示省略したコンプレッサの作動により冷却して、冷水タンク２内の飲料水を低温に保つようになっている。
【００２６】
そして、冷水タンク２の底面に一端を接続された冷水注出管１４の他端が冷水コック３に接続され、冷水コック３を開くことによって冷水タンク２から低温の飲料水をカップ等に注出できるようになっている。ここで、冷水コック３を開いたときに、冷水タンク２内の飲料水がその自重で冷水注出管１４を通って筐体１の外部に注出されるように、冷水注出管１４の他端は冷水タンク２の底面よりも下側に配置されている。
【００２７】
また、図示は省略するが、電気ケトルは、筐体１の冷水コック３とほぼ同じ高さ位置に設けられた逆止弁付きの給水装置の下方に配置されており、その給水装置は冷水タンク２と配管で接続されている。そして、給水装置から供給される飲料水をケトル本体に収容した状態で、ケトル本体が載置される電源ベースの電源を入れることによりケトル本体内の飲料水を加熱でき、ケトル本体を電源ベースから取り外して傾けることにより、ケトル本体内の飲料水をカップ等に注出できるようになっている。
【００２８】
なお、上記の給水装置および電気ケトルに代えて、冷水タンクと配管で接続された温水タンクを設け、その温水タンク内に収容された飲料水をシースヒーターやバンドヒーター等の加熱装置で加熱・保持するようにしてもよい。その場合は、温水タンクと温水注出管で接続した温水コックを開くことによって、温水タンクから高温の飲料水を注出できるようにすればよい。
【００２９】
図１乃至図３に示すように、ボトルホルダ５は、水ボトル４の首部８が下向きの姿勢で差し込まれるボトル差込口１５と、そのボトル差込口１５の周囲に設けられるボトル支持部１６と、ボトル支持部１６の内周部にボトル差込口１５が嵌まり込むように一体形成されたカップ部１７と、ボトル差込口１５内に上向きに設けられる通水ロッド１８とからなり、そのボトル支持部１６およびカップ部１７に対して、ボトル差込口１５が通水ロッド１８と一体に着脱自在に取り付けられている。そのボトル支持部１６は後述するように水ボトル４の肩部７を支持するものであり、ボトル差込口１５が水ボトル４の荷重をほとんど受けないようになっている。
【００３０】
このボトルホルダ５のボトル差込口１５は、図４（ａ）、（ｂ）にも示すように、上方に開口するカップ状の部材であり、底部の中央に通水ロッド１８が上方に延びる状態で設けられており、側壁１５ａの上端にフランジ部１５ｂが形成されている。その側壁１５ａの上端部には、径方向で対向する位置に、径方向内側に向かって略扇状に陥没し、フランジ部１５ｂに開口して人の指が陥入可能な一対の操作凹部１５ｃが形成されている。そして、各操作凹部１５ｃの外側面に、略水平方向に延び、後述するようにカップ部１７と係合する係合突起１５ｄが設けられている。また、側壁１５ａの下端部の外周には、組立状態においてカップ部１７との間をシールするＯリング１９が嵌め込まれている。
【００３１】
ボトル支持部１６は、図２および図３に示すように、ボトル差込口１５に向かって深くなる傾斜をもち、ボトル差込口１５に水ボトル４の首部８を差し込んだ状態で水ボトル４の肩部７を支持する凹円錐面状のボトル支持面１６ａと、ボトル支持面１６ａの外周縁から水平方向に広がり、外周が矩形状に形成された外縁部１６ｂと、外縁部１６ｂの外周縁から垂下する周壁１６ｃとを有し、ボトル支持面１６ａの内周部に連続するようにカップ部１７が上方に開口する状態で設けられている。そして、その周壁１６ｃの下端部が筐体１上端の開口縁部に固定されて、筐体１の開口を塞ぐようになっている（図１参照）。
【００３２】
カップ部１７は、下方ほど小径となる三段形状の側壁１７ａを有しており、底部の中央から外れた位置に原水導入管１０に接続される送水短管２０が、底部の中央に空気導入管１１に接続される送気短管２１が、それぞれ下方に延びる状態で設けられている。また、側壁１７ａの上端部（ボトル支持部１６の内周部）には、径方向で対向する位置に、上方および径方向内側に開口して略水平方向に延び、ボトル差込口１５の係合突起１５ｄと係合する一対の係合溝１７ｂが形成されている。
【００３３】
ここで、カップ部１７の係合溝１７ｂとボトル差込口１５の係合突起１５ｄとは、それぞれの一部が水平方向に沿って延び、上下方向で互いに係合するようになっているので、水ボトル４を交換する際に、使用済みの水ボトル４をボトルホルダ５から取り外すために上方へ引き上げても、ボトル差込口１５および通水ロッド１８がボトル支持部１６およびカップ部１７から上方へ抜け出すことがなく、効率よく交換作業を行うことができる。
【００３４】
通水ロッド１８は、図２および図５に示すように、上端が閉じられて下方に開口するようにボトル差込口１５の底部に一体形成された外筒部２２と、外筒部２２の内側へ下方から着脱自在に挿入された内筒部２３とからなり、ボトル差込口１５に首部８を差し込んだ状態の水ボトル４の水出口９に嵌合するものである。
【００３５】
外筒部２２は、外径が水ボトル４の水出口９の内径と同径または僅かに大径に形成され、水出口９に嵌合した状態でその嵌合面間からの飲料水の漏れが生じないようになっている。また、外筒部２２の半球形上端部の近傍には、厚み方向に貫通する第１貫通孔２２ａおよび第２貫通孔２２ｂが設けられ、下端部の径方向で対向する位置には、内筒部２３を係止するための係止孔を有する一対の係止部２２ｃが設けられている。
【００３６】
一方、内筒部２３は、外筒部２２と同様に上端が閉じられて下方に開口しており、上端部に厚み方向に貫通する通気孔２３ａが設けられ、下端部近傍の外周面の径方向で対向する位置に、径方向に沿って斜め下方へ延びる一対の係止爪２３ｂが設けられている。また、内筒部２３の軸方向中央部の外周には、軸方向に沿って延びる複数の位置決めリブ２３ｃが周方向に間隔をおいて設けられている。また、内筒部２３の下端部の外周には、組立状態において送気短管２１との間をシールするＯリング２４が嵌め込まれている。
【００３７】
そして、内筒部２３を外筒部２２内に挿入すると、内筒部２３の各位置決めリブ２３ｃが外筒部２２の内周面に当接し、内筒部２３の各係止爪２３ｂが弾性変形してその先端部が外筒部２２の係止部２２ｃの係止孔に入り込むことにより、内筒部２３が外筒部２２に対して安定した状態で取り付けられるようになっている。なお、各位置決めリブ２３ｃの上端には径方向の内側から外側に向かって低くなる傾斜面が形成され、内筒部２３を外筒部２２に対してスムーズに挿入できるようになっている。
【００３８】
このウォーターサーバーは、上記の構成であり、筐体１の上部に設けられたボトルホルダ５に水ボトル４をセットする際には、水ボトル４の首部８を下向きにしてボトルホルダ５のボトル差込口１５に差し込み、その首部８の先端の水出口９をボトル差込口１５の底部中央の通水ロッド１８に嵌合させるとともに、水ボトル４の肩部７をボトルホルダ５のボトル支持部１６で支持するようにする。
【００３９】
上記のように水ボトル４をセットすると、水ボトル４内の飲料水が、水出口９から通水ロッド１８の外筒部２２の第１、第２貫通孔２２ａ、２２ｂを通って、外筒部２２の内周面と内筒部２３の外周面との間に流れ込んだ後、ボトル差込口１５の底部下面とカップ部１７の底部上面との間へ広がり、送水短管２０および原水導入管１０を通って冷水タンク２内に導入される。なお、このとき、通水ロッド１８の外筒部２２の内周面と内筒部２３の外周面との間に流れ込んだ飲料水のごく一部は、内筒部２３の通気孔２３ａから内筒部２３内に入り込み、送気短管２１および空気導入管１１を通って冷水タンク２内に導入される。
【００４０】
ここで、水ボトル４内の残水量が多い段階では、水ボトル４内の飲料水の減少に伴い、大気圧によって水ボトル４が収縮するので、水ボトル４内への空気の流入は生じない。一方、水ボトル４内の残水量が少なくなった段階では、水ボトル４の収縮が進んで剛性を生じ、それ以上の収縮を生じにくくなっているので、水ボトル４内の減圧によって、冷水タンク２内の空気が、空気導入管１１および送気短管２１を通って通水ロッド１８の内筒部２３の内側へ入り込み、内筒部２３の通気孔２３ａおよび外筒部２２の第１貫通孔２２ａを通って水ボトル４内に流入する。そして、冷水タンク２内の空気は、図示省略したオゾン発生装置等の殺菌手段によって殺菌されているので、水ボトル４内に流入しても飲料水を汚染することはない。
【００４１】
次に、このウォーターサーバーにおいて、水ボトル４内の飲料水の汚染防止のために通水ロッド１８の清掃を行う際の手順について説明する。
【００４２】
通水ロッド１８の清掃を行う際は、まず、水ボトル４をボトルホルダ５から取り外した状態で、ボトル差込口１５の一対の操作凹部１５ｃに指をかけて、ボトル差込口１５を略水平方向に回転させることにより、ボトル差込口１５の係合突起１５ｄをカップ部１７の係合溝１７ｂの一端部（上方に開口する部分）まで移動させて、係合溝１７ｂとの上下方向の係合を解除する。その後、ボトル差込口１５を上方に引き上げることにより、通水ロッド１８と一体にボトル支持部１６およびカップ部１７から取り外す。そして、取り外したボトル差込口１５とともに通水ロッド１８を洗浄すれば、通水ロッド１８の外面および内部を同時に清掃することができる。
【００４３】
なお、上記の洗浄を行うときに通水ロッド１８の外筒部２２から内筒部２３を取り外しておけば、通水ロッド１８の内部をより確実に清掃できるが、その場合は、洗浄後に内筒部２３を外筒部２２に取り付ける際に、清潔な手袋を着用する等、通水ロッド１８を汚染しないように注意する必要がある。
【００４４】
その後、洗浄したボトル差込口１５と通水ロッド１８をボトル支持部１６およびカップ部１７に取り付ける。その取り付けは、取り外しの際とは逆に、ボトル差込口１５を通水ロッド１８と一体にカップ部１７に上方から挿入し、ボトル差込口１５の係合突起１５ｄがカップ部１７の係合溝１７ｂの一端部に入り込んだ時点で、ボトル差込口１５の操作凹部１５ｃに指をかけてボトル差込口１５を略水平方向に回転させ、係合突起１５ｄを係合溝１７ｂに係合させればよい。この取付作業の際には、通水ロッド１８に触れる必要がないので、通水ロッド１８が汚染されるおそれがなく、清潔性が確保される。
【００４５】
このウォーターサーバーでは、上述したように、水ボトル４をセットするボトルホルダ５として、筐体１の上部に固定されて水ボトル４の肩部７を支持するボトル支持部１６に対して、水ボトル４の首部８が差し込まれるボトル差込口１５を通水ロッド１８と一体に着脱自在に取り付けたものを組み込んでおり、通水ロッド１８をボトル差込口１５と一体にボトル支持部１６から取り外して洗浄し、手で触れることなくボトル支持部１６へ取り付けることができるので、通水ロッド１８の清潔性を確保できる。
【００４６】
しかも、ボトル差込口１５が水ボトル４の荷重を受けず、筐体１に対して着脱しないボトル支持部１６で水ボトル４を支持するようになっているので、ボトルホルダ５のガタつきが生じにくい。したがって、ボトル差込口１５とボトル支持部１６との接触部の寸法精度を厳しく管理する必要がなく、ボトルホルダ全体を筐体に着脱するものに比べて低コストで製作することができる。
【００４７】
また、ボトル支持部１６の内周部に、ボトル差込口１５が嵌まり込むカップ部１７を設けているので、ボトル差込口１５と通水ロッド１８を一体にボトル支持部１６から取り外した際に、カップ部１７が筐体１の上方と内部とを仕切る蓋の役割を果たし、埃等の異物やねじ等の小さな物品が筐体１内に落下するおそれがないし、冷水タンク２への雑菌の侵入も防止できる。
【００４８】
さらに、ボトルホルダ５のボトル差込口１５には、ボトル差込口１５の着脱を行う人の指が陥入可能な操作凹部１５ｃを設けているので、通水ロッド１８を清掃する際のボトル差込口１５の着脱作業を簡単に行うことができる。
【００４９】
なお、上述した実施形態では、ボトルホルダ５のボトル差込口１５に係合突起１５ｄを設け、係合突起１５ｄと係合する係合溝１７ｂをカップ部１７に設けたが、この係合突起と係合溝の配置は逆にしてもよい。
【００５０】
また、ボトルホルダ５のカップ部１７は、ボトル差込口１５を取り外した際の蓋の役割を果たすため、実施形態のように設けることが望ましいが、カップ部を省略したボトル支持部の内周部にボトル差込口を着脱自在に取り付け、通水ロッドを原水導入管および空気導入管に直接接続される構造として、製作コストの低減を図ることもできる。
【符号の説明】
【００５１】
１      筐体
２      冷水タンク
４      水ボトル
５      ボトルホルダ
６      胴部
７      肩部
８      首部
９      水出口
１５    ボトル差込口
１５ｃ  操作凹部
１５ｄ  係合突起
１６    ボトル支持部
１７    カップ部
１７ｂ  係合溝
１８    通水ロッド
２２    外筒部
２３    内筒部
【図１】
2019218115.tif 000003
【図２】
2019218115.tif 000004
【図３】
2019218115.tif 000005
【図４】
2019218115.tif 000006
【図５】
2019218115.tif 000007